(57)【要約】【課題】充電時に省スペースとすることができる電気掃除機の充電台を提供する。【解決手段】  床面に載置されるベース部７１と、ベース部７１から立ち上がるスタンド部７２とを備え、スタンド部７２には延長パイプ３００を保持可能な保持部を備え、標準吸口４００を接続した延長パイプ３００を収納可能であり、電気掃除機１００をハンディ状態で充電する場合、その収納位置が正面視で標準吸口４００の左右幅×標準吸口４００+延長パイプ３００の高さで占める領域内に収まるように構成したことを特徴とする。【選択図】図１
2019030455.tif 000002
【特許請求の範囲】
【請求項１】
床面に載置されるベース部と、
前記ベース部から立ち上がるスタンド部と、を備え、
前記スタンド部には延長パイプを保持可能な保持部を備え、
標準吸口を接続した延長パイプを収納可能であり、
電気掃除機をハンディ状態で充電する場合、その収納位置が正面視で標準吸口の左右幅×標準吸口+延長パイプの高さで占める領域内に収まるように構成したことを特徴とする電気掃除機の充電台。
【請求項２】
床面に載置されるベース部と、
前記ベース部から立ち上がるスタンド部と、を備え、
前記スタンド部には延長パイプを保持可能な保持部を備え、
標準吸口を接続した延長パイプを収納可能であり、
電気掃除機をハンディ状態で充電する場合、その収納位置が側面視で標準吸口+延長パイプの前後幅×標準吸口+延長パイプの高さで占める領域内に収まるように構成したことを特徴とする電気掃除機の充電台。
【請求項３】
前記ベース部には、前記電気掃除機に接続して使用可能な各種応用付属吸口を収容可能な収容部を有し、前記収容部は前記電気掃除機の下部に位置し、前記応用付属吸口を収納する位置も正面視で標準吸口の左右幅×標準吸口+延長パイプの高さで占める領域内に収まるように構成したことを特徴とする請求項１または２に記載の電気掃除機の充電台。
【請求項４】
前記ベース部には、前記電気掃除機に接続して使用可能な各種応用付属吸口を収容可能な収容部を有し、前記収容部は前記電気掃除機の下部に位置し、前記応用付属吸口を収納する位置も側面視で標準吸口+延長パイプの前後幅×標準吸口+延長パイプの高さで占める領域内に収まるように構成したことを特徴とする請求項１または２に記載の電気掃除機の充電台。
【請求項５】
前記ベース部には、前記電気掃除機に接続して使用可能な各種応用付属吸口を収容可能な収容部を有し、前記収容部は正面視で延長パイプを軸として前記電気掃除機の反対側に位置し、前記応用付属吸口を収納する位置も正面視で標準吸口の左右幅×標準吸口+延長パイプの高さで占める領域内に収まるように構成したことを特徴とする請求項１または２に記載の電気掃除機の充電台。
【請求項６】
前記ベース部には、前記電気掃除機に接続して使用可能な各種応用付属吸口を収容可能な収容部を有し、前記収容部は正面視で延長パイプを軸として前記電気掃除機の反対側に位置し、前記応用付属吸口を収納する位置も側面視で標準吸口+延長パイプの前後幅×標準吸口+延長パイプの高さで占める領域内に収まるように構成したことを特徴とする請求項１または２に記載の電気掃除機の充電台。
【請求項７】
前記スタンド部は、前記電気掃除機に接続して使用可能な各種応用付属吸口を電気掃除機本体に接続した状態でも収容可能な高さを有し、その状態で正面視で標準吸口の左右幅×標準吸口+延長パイプの高さで占める領域内に収まるように構成したことを特徴とする請求項１または２に記載の電気掃除機の充電台。
【請求項８】
前記スタンド部は、前記電気掃除機に接続して使用可能な各種応用付属吸口を電気掃除機本体に接続した状態でも収容可能な高さを有し、その状態で側面視で標準吸口+延長パイプの前後幅×標準吸口+延長パイプの高さで占める領域内に収まるように構成したことを特徴とする請求項１または２に記載の電気掃除機の充電台。
【発明の詳細な説明】
【技術分野】
【０００１】
本発明は、電気掃除機の充電台に関する。
【背景技術】
【０００２】
特許文献１には、コードレスタイプの電気掃除機と、その電気掃除機を充電可能な充電台が記載されている。
【先行技術文献】
【特許文献】
【０００３】
【特許文献１】特開２０１５−１１９８７９号公報
【発明の概要】
【発明が解決しようとする課題】
【０００４】
ところで、特許文献１に記載の電気掃除機は、掃除機本体の先に延長パイプを取り付けることでスティック状態として使用でき、掃除機本体から延長パイプを取り外すことでハンディ状態として使用できるものである。このように重心の位置を手元の位置にした電気掃除機が種々提案されている。この種の電気掃除機は、充電する場合、吸口が接続された延長パイプを本体から取り外し、本体とそれぞれ別に充電台にセットすることになる。その場合、本体が占めるスペースと吸口が接続された延長パイプが占めるスペースが必要となるため、充電台を置くスペースを広く確保する必要がある。  
本発明は、充電時に省スペースとすることができる電気掃除機の充電台を提供することを目的とする。
【課題を解決するための手段】
【０００５】
本発明は、床面に載置されるベース部と、前記ベース部から立ち上がるスタンド部とを備え、前記スタンド部にはパイプを保持可能な保持部を備え、標準吸口を接続した延長パイプを収納可能であり、電気掃除機をハンディ状態で充電する場合、その収納位置が正面視で標準吸口の左右幅×延長パイプの高さで占める領域内に収まるように構成したことを特徴とする。
【発明の効果】
【０００６】
本発明によれば、充電時に省スペースな電気掃除機の充電台を提供できる。
【図面の簡単な説明】
【０００７】
【図１】本実施形態の充電台に電気掃除機等を取り付けた状態を示す斜視図である。
【図２】（ａ）は図１の上面図、（ｂ）は図１の左側面図、（ｃ）は図１の正面図、（ｄ）は図１の右側面図である。
【図３】図電気掃除機の分解斜視図である。
【図４】電気掃除機の斜視図である。
【図５】電気掃除機の縦断面図である。
【図６】電気掃除機の充電台を示す斜視図である。
【図７】（ａ）は図６の上面図、（ｂ）は図６の左側面図、（ｃ）は図６の正面図、（ｄ）は図６の右側面図である。
【図８】電気掃除機の充電台を示す分解斜視図である。
【図９】（ａ）は図８の上面図、（ｂ）は図８の左側面図、（ｃ）は図８の正面図、（ｄ）は図８の右側面図である。
【図１０】電気掃除機の充電台の第１充電端子を示す拡大斜視図である。
【図１１】充電台の第１充電端子と接続される電気掃除機の本端端子部をダストケース側から見上げた状態を示す斜視図である。
【図１２】開閉部材を取り付けた標準吸口を示す断面図を示し、（ａ）は前進時、（ｂ）は壁突き当たり時、（ｃ）は後進時である。
【図１３】各種の応用吸口体を示し、（ａ）隙間吸口を示す斜視図、（ｂ）は小型吸口を示す斜視図、（ｃ）はほうき型吸口を示す斜視図である。
【図１４】延長ホースを示す斜視図である。
【図１５】付属される付属品の一覧と接続の組合せ図である。
【図１６】本実施形態の充電台に電気掃除機等を取付けた状態を示す図である。（ａ）は斜視図、（ｂ）上面図、（ｃ）は左側面図、（ｄ）は正面図、（ｅ）は右側面図である。
【図１７】充電台へ取り付けた状態を示す図である。（ａ）は斜視図、（ｂ）上面図、（ｃ）は左側面図、（ｄ）は正面図、（ｅ）は右側面図である。
【図１８】スティック状態の電気掃除機で床面を掃除するときの使用形態図である。
【図１９】スティック状態の電気掃除機で高い場所を掃除するときの使用形態図である。
【発明を実施するための形態】
【０００８】
以下、本発明を実施するための形態（以下「実施形態」という）について、適宜図面を参照しながら詳細に説明する。
【０００９】
図１は、本実施形態の充電台に電気掃除機を取り付けた状態を示す斜視図である。図２（ａ）は図１の上面図、（ｂ）は図１の左側面図、（ｃ）は図１の正面図、（ｄ）は図１の右側面図である。。図１６は、本実施形態の充電台に電気掃除機等を取付けた状態を示す図である。（ａ）は斜視図、（ｂ）上面図、（ｃ）は左側面図、（ｄ）は正面図、（ｅ）は右側面図である。図１７は、充電台へ取り付けた状態を示す図である。（ａ）は斜視図、（ｂ）上面図、（ｃ）は左側面図、（ｄ）は正面図、（ｅ）は右側面図である。
【００１０】
図１は、電気掃除機１００の充電台７０に電気掃除機１００等をハンディ状態で立てて充電した状態である。電気掃除機１００の先に隙間・ブラシ切替ノズル１１０を直接取り付ける。充電台７０には、延長管３００、延長ホース８００、小型吸口６００が取付けられている。また、標準吸口４００は延長管３００の先端に取付けられている。  
図３は電気掃除機の分解斜視図である。図４は電気掃除機の斜視図である。図５は電気掃除機の縦断面図である。
なお、図２において示す方向は、電気掃除機１００の向きを示している。
【００１１】
図２に示すように、電気掃除機１００は、掃除機本体１、ダストケース２（集塵装置）および蓄電池３を備えて構成されている。
【００１２】
掃除機本体１は、本体部１０、モータケース部１１、ハンドル部１２を備えて構成されている。  
本体部１０は、延長管３００（図１参照）や標準吸口４００が接続される接続口１０ａが形成されている。また、本体部１０には、ダストケース２が着脱自在に取り付けられるとともに、接続口１０ａから吸い込まれた塵挨を含む空気をダストケース２に送り込む導入管１４を備えている。  
モータケース部１１には、電動送風機４０（図５参照）と本体基板５０（図５参照）が内包されている。また、モータケース部１１の前面には、ダストケース２で集塵された後の清浄な空気が吸い込まれる円形の吸込口１１ａが形成されている。また、モータケース部１１の前面には、吸込口１１ａより下部に、充電台７０（図１参照）と接続される本体端子部１７が設けられている。  
ハンドル部１２は、本体部１０の後方に設けられ、略Ｌ字状に形成された把持部１２ａを有している。把持部１２ａは、前後方向に直線状に延びる第１把持部１２ａ１と、略上下方向に直線状に延びる第２把持部１２ａ２と、を有している。第１把持部１２ａ１は、第２把持部１２ａ２よりも上部に配置されている。第２把持部１２ａ２は、上下方向に対して上部が前方に向くように傾斜している。また、第１把持部１２ａ１と第２把持部１２ａ２は略棒状且つ連続して形成されている。このように、第１把持部１２ａ１と第２把持部１２ａ２とをそれぞれ直線状に構成することで、使用者が持ち手の位置を認識し易くなる。
【００１３】
また、ハンドル部１２には、蓄電池３（電池ケース）をロックするための蓄電池ロック部材１３が設けられている。この蓄電池ロック部材１３は、略Ｌ字状に形成された板状であり、一端がハンドル部１２に回動自在に連結されている。  
また、ハンドル部１２の第１把持部１２ａ１の上面には、操作ボタン１２ｂが設けられている。操作ボタン１２ｂは、例えば、「強」、「標準」、「切」の３つのボタンで構成されている。
【００１４】
本体部１０の前端には、延長管３００（図１参照）や標準吸口４００（図１参照）を取り外す際に操作される解除ボタン１８が設けられている。この解除ボタン１８を押下操作することで延長管３００、標準吸口４００の取り外しが可能となる。  
また、本体部１０の前端には、回転式のブラシ９０が取り付けられている。このブラシ９０は、接続口１０ａの外面に凹凸嵌合して固定される略円弧形状の固定ベース９０ａと、この固定ベース９０ａに回動自在に連結される回転部９０ｂと、この回転部９０ｂに植設される刷毛部９０ｃとを有して構成されている。刷毛部９０ｃは、収納時には後向きで、使用時には前向きに回動するように構成されている。  
ダストケース２は、サイクロン方式のものであり、導入管１４から吸込んだ塵埃を含む空気を、塵埃と空気とに分離し、塵埃を集める機能を有する。また、ダストケース２は、モータケース部１１の前方に軸方向を前後方向にして配置され、略円柱形状の収容部２ａを有している。また、ダストケース２の上面（側面）には、導入管１４と繋がる略矩形状の流入口２ｂが形成されている。この流入口２ｂに流入した塵挨を含む空気は、ダストケース２内で塵挨と空気とに分離された後、塵埃が分離された空気がダストケース２の後部（背面）から排出される。  
また、ダストケース２の前面には、ダストケース２内に溜まった塵埃を廃棄する際に開閉する蓋２ｃがヒンジ部２ｄを介して回動自在に支持されている。また、蓋２ｃの上部には、蓋２ｃのロックを解除するための蓋ロック機構２ｅが設けられている。なお、ダストケース２の内部の機構については、特開２０１６−１３７１６５号公報に基づいて構成することができる。  
図４に示すように、電気掃除機１００は、ダストケース２が本体部１０の下方かつモータケース部１１の前方に取り付けられる。この場合、ダストケース２を掃除機本体１に装着すると、蓋ロック機構２ｅが掃除機本体１側に隠れる。これは、蓋ロック機構２ｅを反対側（外側）に設けた場合、掃除中に蓋ロック機構２ｅが解除される恐れがあるが、蓋ロック機構２ｅが掃除機本体１側に隠れるようにすることで、誤動作を防止することができるからである。例えば、スティック状態でソファやベッドの下を掃除するときなど、掃除機本体１を床面に対して水平に近づける場合がある。このとき、蓋ロック機構２ｅを表側に設けた場合、床面と接触して蓋ロック機構２ｅが解除される可能性がある。蓋ロック機構２ｅとヒンジ部２ｄの位置はこの限りでなく、掃除機本体１に対し左右に設けても構わない。
【００１５】
また、ダストケース２には、お手入れブラシ２ｓが着脱自在に設けられている。このお手入れブラシ２ｓは、ダストケース２が掃除機本体１に装着されたときに外部から見え難い位置に配置されている。このため、運転中に外れ難く、また、お手入れブラシ２ｓを電気掃除機１００とは別の場所に保管しておく必要もない。
【００１６】
図５に示すように、本体部１０のモータケース部１１には、電動送風機４０が収容されている。モータケース部１１内には、電動送風機４０の下方に、掃除機本体１を制御する本体基板５０（制御基板）が収容されている。
【００１７】
電動送風機４０は、回転駆動軸４０ａが前後方向を向くように横置きに配置されている。また、電動送風機４０から排出された空気は、電動送風機４０の下方に配置された本体基板５０に流れ、本体基板５０を冷却するようになっている。
【００１８】
本体基板５０は、上下に分割して２段に配置され、主に対向する面に部品が実装されている。電動送風機４０から排出された空気のほとんどは、各本体基板５０の対向配置された部品（発熱部品）を冷却するように流れる。
【００１９】
また、電動送風機４０と本体基板５０は、上下方向に重なるように配置されている。このため、前後方向の寸法を短くできる。また、電動送風機４０および本体基板５０は、ハンドル部１２の第１把持部１２ａ１の下方に位置している。これにより、使用者が把持部１２ａ１を握って操作する場合、電気掃除機１００の重心が第１把持部１２ａ１の下方近傍になるので、電気掃除機１００の先を上向きで使用する場合、電気掃除機１００を安定して保持できる。
【００２０】
また、第１把持部１２ａ１とモータケース部１１の上面１１ｃとの間には、手を挿入するための幅寸法Ｈ１の隙間１２ｃが形成されている。また第２把持部１２ａ２とモータケース部１１の背面１１ｄとの間には、幅寸法Ｈ１よりも広い幅寸法Ｈ２の隙間１２ｄが形成されている。このように、第１把持部１２ａ１を把持して掃除する場合には、腕を伸ばした状態で保持できるので、第１把持部１２ａ１を強く握ることなく、電気掃除機１００を前後に動かすことができる。また、第２把持部１２ａ２を把持して掃除する場合には、隙間１２ｄに手（指）を深く挿入して強く握る必要があるので、幅寸法Ｈ２を幅寸法Ｈ１よりも広くすることで、第２把持部１２ａ２を安定して把持することができる。
【００２１】
また、第１把持部１２ａ１の厚みＴ１は薄く形成され、第２把持部１２ａ２の厚みＴ２は厚みＴ１よりも厚く形成されている。つまり、第１把持部１２ａ１は細く、第２把持部１２ａ２は太く形成されている。このように、第２把持部１２ａ２を握って掃除する場合には、第２把持部１２ａ２の厚みＴ２を厚くすることで、深く握り易くなるとともに、第２把持部１２ａ２の強度を高くすることができる。
【００２２】
蓄電池３は、例えば、エネルギ効率の高いリチウムイオン電池で構成することができる。また、蓄電池３は、ハンドル部１２の第２把持部１２ａ２の下方に配置されている。このように、蓄電池３を電気掃除機１００の後端に設けることで、ハンドル部１２の重心が第２把持部１２ａ２に近くなるので、電気掃除機１００の先を上向きで使用する場合、操作感を軽くすることができる。  
蓄電池ロック部材１３は、自由端側に蓄電池３とロックされる爪部１３ａが形成されている。また、蓄電池ロック部材１３は、蓄電池３の背面を上端から下端まで囲むようにして配置され、蓄電池３の後端下面において爪部１３ａと蓄電池３の下面とがロックされるように構成されている。
【００２３】
このように、蓄電池３を着脱式にすることによって、蓄電池が着脱不可のものに比べて、蓄電池３の交換がし易くなる。また、予備の蓄電池３と、予備の蓄電池３を充電可能な充電ボックスをオプションで用意することで、電気掃除機１００の本体側の蓄電池が消耗した場合に予備の蓄電池３に直ちに交換することで、掃除時間を延長することが可能になる。このように構成することで、例えば、店舗などの広い床面を掃除する場合に有効である。
【００２４】
ダストケース２内には、収容部２ａの軸方向の後端にフィルタ５が収容されている。このフィルタ５は、プリーツ状に折って構成されたものであり、フィルタ面積を大きくできるとともに、フィルタ５による圧力損失を低減することができる。
【００２５】
また、フィルタ５は、例えば高密度のＨＥＰＡフィルタ（High Efficiency Particulate Air Filter）で構成されている。ＨＥＰＡフィルタとは、定格風量で粒径が０.３μｍの粒子に対して９９.９７％以上の粒子捕集率をもち、かつ初期圧力損失が２４５Ｐａ以下の性能を持つエアフィルタである。
【００２６】
このように構成された電気掃除機１００では、使用者が、ハンドル部１２に設けられた操作ボタン１２ｂ（図４参照）を操作して運転を開始すると、電動送風機４０（図５参照）には蓄電池３（図４参照）から給電される。そして、電動送風機４０が駆動して空気を吸い込む。吸い込んだ空気は、導入管１４（図５参照）を経て、流入口２ｂ（図３参照）を介してダストケース２内に流入する。そして、流入した塵埃を含む空気は、旋回流となり、塵埃に遠心力が働き、塵埃と空気は分離される。そして、空気はフィルタ５を通過し、電動送風機４０、本体基板５０（図５参照）を通り、排気口から掃除機本体１の外部に排気される。
【００２７】
図６は、電気掃除機の充電台を示す斜視図である。なお、図９に示す充電台７０は、電気掃除機１００およびすべての応用吸口体（付属品）を取り外した状態である。
【００２８】
図６に示すように、充電台７０は、ベース部７１とスタンド部７２と延長部材８０とを備えて構成されている。
【００２９】
ベース部７１は、標準吸口４００（図１参照）が載置される略矩形状の載置面７１ａを有している。また、ベース部７１は、幅方向（左右方向）の中央に、後方に延びる延出部７１ｂを有している。この延出部７１ｂの左右の側方には、後記する応用吸口体を取り付けて保管しておく側部保管部７１ｃ，７１ｄが設けられている。
【００３０】
図７の（ａ）は図６の上面図、（ｂ）は図６の左側面図、（ｃ）は図６の正面図、（ｄ）は図６の右側面図である。
【００３１】
図７に示すように、右側の側部保管部７１ｃは、延出部７１ｂから右側方に延出して床面と接する台座部７１ｃ１と、この台座部７１ｃ１の上面から上方に向けて突出する円柱形状の突起部７１ｃ２と、を有して構成されている。左側の側部保管部７１ｄは、延出部７１ｂから左側方に延出して床面と接する台座部７１ｄ１と、この台座部７１ｄ１の上面から上方に向けて突出する円柱形状の突起部７１ｄ２と、を有して構成されている。  
また、延出部７１ｂには、後方に向けて延出する延出部７１ｅがベース部７１と一体に形成されている。この延出部７１ｅは、電気掃除機１００の充電時に、電気掃除機１００が後方に倒れ込むのを防止する機能を有する。また、延出部７１ｅは、床面と接する台座部７１ｅ１と、この台座部７１ｅ１の上面から上方に向けて突出する円柱形状の吸口保管部７１ｅ２と、を有している。また、台座部７１ｅ１は、左右方向に延出して幅広に構成されている。また、台座部７１ｅ１の左右方向の両端は、前記した台座部７１ｃ１，７１ｄ１の先端よりも内側に位置している（図１０参照）。このように、延出部７１ｅは、電気掃除機１００の倒れ込みを防止する機能だけではなく、応用吸口体を取り付けて保管しておく保管機能も有している。
【００３２】
図７に示すように、スタンド部７２は、延出部７１ｂの後端部から鉛直方向（上下方向）上向きに延在している。また、スタンド部７２は、上下方向の中央より上部が下部よりも前後方向に厚みを持って形成されている。
【００３３】
スタンド部７２の上面７２ａには、ハンディ状態の電気掃除機１００（図１）を充電する際に使用される第１充電端子７３が設けられている。第１充電端子７３は、掃除機本体１（図２参照）と電気的に接続される。また、第１充電端子７３は、蓄電池３を充電する端子であり、スタンド部７２の上面７２ａから鉛直方向の上方に向けて突出して形成されている。
【００３４】
図８は、電気掃除機の充電台の分解斜視図である。図９の（ａ）は図８の上面図、（ｂ）は図８の左側面図、（ｃ）は図８の正面図、（ｄ）は図８の右側面図である。
【００３５】
図８に示すように、充電台７０は、スタンド部７２がベース部７１に対し着脱自在に構成されている。なお、ベース部７１とスタンド部７２は着脱自在でなくてもよいが、収納性・梱包性を高めるため、着脱自在であることが望ましい。
【００３６】
ベース部７１は、後面には電源コード７６を備え、内部に充電基板７４を有する。また、ベース部７１の内部には、おもり７５が設けられ、充電台７０に電気掃除機１００を装着したときに充電台７０が倒れにくくなっている。
【００３７】
スタンド部７２には接続ピン７２ｂが設けられ、ベース部７１には接続ピン７２ｂを受ける接続端子７１ｆが設けられ、ベース部７１にスタンド部７２を装着することで、接続ピン７２ｂが接続端子７１ｆと電気的に接続される。なお、接続ピン７２ｂと第１充電端子７３とは、図示しない電線を介して接続されている。
【００３８】
図１０は、電気掃除機の充電台の第１充電端子を示す拡大斜視図である。
【００３９】
図１０に示すように、第１充電端子７３は、スタンド部７２の上面７２ａから上方に突出する略直方体形状の端子台７３ａを有している。この端子台７３ａは、左右方向に細長く形成されている。また、端子台７３ａには、左右両端において、前面および上面が開放するように切り欠かれた凹部７３ｂ、７３ｂが形成されている。各凹部７３ｂ内には、端子７３ｃが設けられている。端子７３ｃは、スタンド部７２内においてねじ固定されている。
【００４０】
端子台７３ａには、端子７３ｃと端子７３ｃとの間に、前面および上面が開放するように切り欠かれた略直方体形状の凹み部７３ｄ，７３ｄが形成されている。
【００４１】
端子７３ｃは、細長い金属板を折り曲げることで構成され、凹部７３ｂ内において前後方向に撓み変形するように配置されている。また、端子７３ｃは、前記した接続ピン７２ｂとリード線（図示せず）を介して電気的に接続されている。
【００４２】
図１１は、充電台の第１充電端子と接続される電気掃除機の本端端子部をダストケース側から見上げた状態を示す斜視図である。
【００４３】
図１１に示すように、掃除機本体１の本体端子部１７には、充電台７０の端子台７３ａ（図１０参照）が嵌合する嵌合凹部１７ａが形成されている。嵌合凹部１７ａ内には、充電台７０の端子７３ｃ（図１０参照）と接続される本体端子１７ｂが配置されている。この本体端子１７ｂは、蓄電池３（図２参照）と電線を介して電気的に接続されている。また、嵌合凹部１７ａ内には、充電台７０の凹み部７３ｄ（図１０参照）と嵌合する嵌合突起１７ｃが形成されている。
【００４４】
パイプ８１は、意匠面等から、例えば、アルミ合金など軽量のもので構成され、軸方向の途中に中継端子８２を保持している。また、パイプ８１は、軸方向の上端に第２充電端子８３を保持している。パイプ８１を金属製にすることで、充電台７０を外観上スリムに見せることができる。なお、パイプ８１は、金属製に限定されず、合成樹脂製であってもよい。
【００４５】
また、パイプ８１は、中継端子８２から下側に突出する連結部８１ｓが、スタンド部７２に一体に形成された連結保持部７２ｃに連結される。連結保持部７２ｃは、軸方向に細長い筒状に形成され、上面７２ａにパイプ８１の連結部８１ｓが挿入される挿入穴７２ｃ１が形成されている。この連結保持部７２ｃは、連結部８１ｓの全体を収容できる長さに形成されている。
【００４６】
中継端子８２は、合成樹脂などで形成され、第１充電端子７３と連結される連結端子部８２ａと、連結端子部８２ａをパイプ８１に保持させる保持部材８２ｂと、延長管３００を保持する延長管保持部８２ｃと、延長ホース８００（図２５参照）を保持する延長ホース保持部８２ｄと、を有している。
【００４７】
連結端子部８２ａは、パイプ８１の軸方向に直交する方向に突出して形成され、下面に第１充電端子７３と接続される端子部が形成されている。この端子部は、図示していないが、図１１で示した本体端子部１７と同様に構成されている。
【００４８】
保持部材８２ｂは、連結端子部８２ａに向けて延びるフランジ８２ｂ１と、このフランジ８２ｂ１から上方に向けて側面視円錐台状に形成されるとともにパイプ８１に固定される筒体８２ｂ２と、を有している。
【００４９】
このように、中継端子８２は、パイプ８１を連結保持部７２ｃに挿入して取り付けたときに、連結端子部８２ａと第１充電端子７３とが連結され、電気的に接続されるように構成されている。
【００５０】
延長管保持部８２ｃは、連結端子部８２ａの前面に形成され、延長管３００（図１参照）を左右両側から挟み込んで保持する一対の保持片８２ｃ１，８２ｃ１を有している。一対の保持片８２ｃ１，８２ｃ１は、撓み変形可能に構成され、延長管３００（図１参照）を隙間８２ｃ２から押し込むことで、延長管３００を保持片８２ｃ１，８２ｃ１に保持させることができる。
【００５１】
延長ホース保持部８２ｄは、後記する延長ホース８００（図１４参照）を保管しておく際に利用されるものであり、前部保持片８２ｄ１と、下部保持片８２ｄ２と、を有している。
【００５２】
前部保持片８２ｄ１は、パイプ８１側とで挟んで保持する板状のものであり、連結端子部８２ａの上面に、上方に向けて突出して形成されている。また、前部保持片８２ｄ１の先端（上端）は、パイプ８１側に向けて屈曲して形成されている。
【００５３】
下部保持片８２ｄ２は、延長ホース８００の下部を支持するものであり、連結端子部８２ａから筒体８２ｂ２までに渡って形成される下部支持部８２ｄ２を有している。また、下部保持片８２ｄ２は、連結端子部８２ａと保持部材８２ｂとを連結して、中継端子８２の強度を向上させている。
【００５４】
また、保持部８３ａの前面には、電気掃除機１００のダストケース２の周面を受けて、電気掃除機１００のぐらつきを抑える抑え部８３ｂが形成されている。この抑え部８３ｂの前面は、左右に広がりながら前方に向けて湾曲して形成されている。
【００５５】
充電台７０は、中継端子８２の連結端子部８２ａを前側に向けた状態で、パイプ８１を連結保持部７２ｃに上方から挿入する。そして、中継端子８２より下部のパイプ８１の連結部８１ｓ（図１５参照）が連結保持部７２ｃに挿入されると、第１充電端子７３（図１５参照）が中継端子８２に嵌合し、第１充電端子７３と中継端子８２とが電気的に接続される。また、中継端子８２は、第２充電端子８３とパイプ８１内に通された電線（不図示）を介して電気的に接続されている。
【００５６】
このとき、充電台７０の側面視において、連結保持部７２ｃの背面（後面）の位置と、延長部材８０の背面（後面）の位置とが略一致している。また、延出部７１ｅは、図１６の側面視において、連結保持部７２ｃおよび延長部材８０よりも後方に突出するようにして構成されている。
【００５７】
また、保持部８３ａの上面８３ａ１は、前方に向けて下降するように若干傾斜している。また、第２充電端子８３は、上面８３ａ１の傾斜に沿って傾斜して配置されている。
【００５８】
図１，図１６，図１７に示すように、電気掃除機１００は、スティック状態において、第２充電端子８３と接続されることで充電される。このとき、使用者は、ハンドル部１２を把持しながら延長管３００を下向きにして、掃除機本体１を第２充電端子８３の上方から下降させることによって、第２充電端子８３に本体端子部１７が接続される。このとき、第２充電端子８３が上向きに形成されているので、電気掃除機１００の自重によって、本体端子部１７を第２充電端子８３に確実に接続することができる。
【００５９】
また、ダストケース２が抑え部８３ｂに接し、延長管３００が延長部材８０の延長管保持部８２ｃに保持される。また、標準吸口４００の一部は、ベース部７１の載置面７１ａと接している。これにより、電気掃除機１００の重心が高い状態で充電する場合においても、電気掃除機１００を安定して充電台７０に保持させることができる。
【００６０】
なお、充電台７０は、電源コード７６を接続せず、蓄電池３の充電を行わない場合でも、電気掃除機１００を収納する際のスタンドとして使用することができる。
【００６１】
電気掃除機１００は、ハンディ状態において、第１充電端子７３と接続される。
【００６２】
電気掃除機１００から延長管３００を取り外し、電気掃除機１００と標準吸口４００とを直接に接続する。そして、標準吸口４００が接続された電気掃除機１００の本体端子部１７を第１充電端子７３の上方から下降させることにより、第１充電端子７３が本体端子部１７と接続される。このように、本実施形態の充電台７０では、延長部材８０の向きを変えて保管することができ、電気掃除機１００をハンディ状態で充電することが可能になる。
【００６３】
なお、延長管３００は、延長管保持部８２ｃに保持させて保管することができる。また、電気掃除機１００をハンディ状態からスティック状態にする場合には、延長管保持部８２ｃから延長管３００を取り外して電気掃除機１００に迅速に取り付けることができる。また、延長管３００を床面より高い位置に保持できるので、使用者にとっても着脱が容易であり、使い勝手を向上できる。また、延長管３００を充電台７０とは別の場所に保管する必要もないので、使い勝手を向上できる。
【００６４】
第１充電端子７３に本体端子部１７が嵌合する際に、本体端子１７ｄが端子７３ｃに接触し、さらに本体端子１７ｄの縁部１７ｆが下降することで端子７３ｃが後方に撓み変形する。端子７３ｃは、前方に向けて付勢するばね性を有しているので、掃除機本体１が充電台７０に装着されている間は、本体端子１７ｄと端子７３ｃとは接触した状態を維持し、蓄電池３（図３参照）への充電が継続される。
【００６５】
また、第１充電端子７３は、本体端子部１７と凹凸嵌合しているので、例えば、充電中に使用者が掃除機本体１に接触したとしても、本体端子１７ｄと端子７３ｃとの導通状態（接触状態）が解除されることはない。  
このように構成された充電台７０では、第１充電端子７３がスタンド部７２の上面７２ａに形成されているので、第１充電端子７３と本体端子部１７とを合わせるときに、使用者の目線に近い位置にあるので、第１充電端子７３に本体端子部１７を挿入し易くなり、掃除機本体１を充電台７０にセットし易くなる。  
また、充電台７０では、第１充電端子７３がスタンド部７２の上面７２ａに形成されている。つまり、第１充電端子７３が床面から高い位置に形成されているので、第１充電端子７３にごみが堆積し難くなり、また床面から埃が上がってきて付着することも低減できる。
【００６６】
また、充電台７０にセットした電気掃除機１００では、電気掃除機１００の重心に近い位置（電動送風機４０および蓄電池３の位置）に第１充電端子７３が位置するので、重心付近を第１充電端子７３が受けることで、充電中において充電台７０に掃除機本体１を安定して保持できる。
【００６７】
また、充電台７０に電気掃除機１００を適用することにより、ダストケース２を取り外した状態で充電できるので、ダストケース２を洗浄、乾燥させている最中であっても充電することができる。
また、第１充電端子７３が上向きで、本体端子部１７が上方から第１充電端子７３に接続される構成である。これにより、電気掃除機１００の自重を第１充電端子７３に重点的に作用させることができるので、本体端子部１７と第１充電端子７３とを確実に接続することができる。
【００６８】
また、充電台７０では、電気掃除機１００に標準吸口４００を接続した状態で充電する場合、ベース部７１の載置面７１ａで支持できるので、電気掃除機１００を、第１充電端子７３と標準吸口４００の２箇所で支持することができ、充電台７０に電気掃除機１００を安定して保持させることができる。
【００６９】
図１８は、スティック状態の電気掃除機で床面を掃除するときの使用形態図である。
【００７０】
図１８に示すように、電気掃除機１００をスティック状態にし、電気掃除機１００を使用者よりも前方に突き出して床面を掃除する場合には、使用者は、ハンドル部１２の第２把持部１２ａ２を把持しながら、電気掃除機１００を前後に移動させる。また、図示していないが、電気掃除機１００を使用者の脇に位置した状態で床面を掃除する場合には、使用者は、ハンドル部１２の第１把持部１２ａ１を把持しながら、電気掃除機１００を前後に移動させる。このように、使用者が床面を掃除する場合には、ハンドル部１２の位置を持ち替えて掃除することができる。
【００７１】
図１９は、スティック状態の電気掃除機で高い場所を掃除するときの使用形態図である。
【００７２】
ところで、スティック状態にしたときに重心が先端側にある電気掃除機（特許文献１参照）では、電気掃除機１００を床面より高い場所で掃除する場合には、使用者が電気掃除機１００の先を上向きに持ち上げる必要があるので手首に負担が掛かり易くなる。
【００７３】
そこで、電気掃除機１００の重量物である電動送風機４０（図５参照）や蓄電池３がハンドル部１２に近い位置（手元に近い位置）にあるので、電気掃除機１００の重心Ｇが、使用者の手元に近くなる。これにより、電気掃除機１００をスティック状態にして、電気掃除機１００を床面より高い場所を掃除する場合であっても掃除し易くなり、使い勝手を向上できる。図１９では、階段を掃除する場合を例に挙げて説明したが、電気掃除機１００を持ち上げてエアコンのパネルなどを掃除する場合にも有効である。
【００７４】
次に、電気掃除機１００に接続される各種の応用吸口体について説明する。前記した電気掃除機１００には、付属品として各種の応用吸口体を接続を付け替えて掃除を行うことができる。
【００７５】
図１２は、開閉部材を取り付けた標準吸口を示す断面図を示し、（ａ）は前進時、（ｂ）は壁突き当たり時、（ｃ）は後進時である。なお、図１２では、回転ブラシを駆動するモータや回転ブラシを制御する基板の図示を省略している。
【００７６】
図１２（ａ）に示すように、標準吸口４００は、吸口ケース４０１と、モータ（不図示）で駆動される第１ブラシ４０２と、床面との摩擦によって回転する第２ブラシ４０３と、を有して構成されている。
【００７７】
吸口ケース４０１は、下面が開放するとともに、第１ブラシ４０２および第２ブラシ４０３を収容する空間を有している。第２ブラシ４０３は、第１ブラシ４０２の後方に隙間を開けて配置されている。
【００７８】
また、吸口ケース４０１の前面には、開閉部材４０４が設けられている。開閉部材４０４は、回動軸４０４ａを有している。また、開閉部材４０４は、回動軸４０４ａの軸方向に直交するに延びる突起体４０４ｂと、回動軸４０４ａから突起体４０４ｂとは反対方向に延びる開閉体４０４ｃと、を有している。突起体４０４ｂは、硬質の板状部材で構成されている。開閉体４０４ｃは、前側に刷毛部４０４ｃ１と、後側にゴム製のプレート４０４ｃ２とが前後に重ね合わされて構成されている。
【００７９】
図１２（ａ）に示すように、標準吸口４００を前進させた場合には、刷毛部４０４ｃ１と床面との摩擦力と、電動送風機４０の吸込力によって、開閉体４０４ｃが反時計回り方向に回動して、吸口ケース４０１の前面下部が開放状態になる。このように開閉体４０４ｃが開放することにより、標準吸口４００の前方に位置する大きなゴミ（塵埃）を吸い込むことが可能になる。
【００８０】
図１２（ｂ）に示すように、標準吸口４００が壁に突き当たった場合には、まず突起体４０４ｂの先端（上端）が壁に突き当たる。そして、標準吸口４００が壁に向けてさらに押圧されると、このときの押し込み力によって、開閉部材４０４が時計回り方向に回動して開閉体４０４ｃが前向きに動作する。開閉体４０４ｃが前向きに動作することによって、吸口ケース４０１の前面下部の開口４０１ａが閉じられる。このように構成することで、壁際（隅）のゴミを吸い込んで取り除くことができる。また、標準吸口４００を左右方向に動かすことにより、壁際のゴミをさらに確実に取り除くことができる。
【００８１】
図１２（ｃ）に示すように、標準吸口４００を後進させた場合には、刷毛部４０４ｃ１と床面との摩擦力によって、開閉体４０４ｃが時計回り方向に回動して開閉体４０４ｃが前向きに動作する。これにより、吸込ケース４０１内の静圧が上昇することで、ゴミを確実に吸い込むことができる。
【００８２】
また、コードレスの電気掃除機１００では、吸込み力が家庭用のコンセントから電力が供給される電気掃除機に比べて弱くなる。このため、標準吸口４００では、前進のときに（図１２（ａ）参照）、吸口ケース４０１の前面（開口４０１ａ）が開放するので、操作力を軽くすることができ、大きなゴミを吸うこともできる。また、後進時（図１２（ｃ）参照）、開閉部材４０４が閉じて、静圧が高まることで例えば絨毯の中の砂ゴミなどをしっかり吸い込むことができる。また、標準吸口４００を、家庭用のコンセントから電力を供給する電気掃除機に接続される吸口よりも小さく構成することで、標準吸口４００からの空気の漏れを少なくでき、また静圧が均等にいきわたり易くなる。
【００８３】
図１３は、各種の応用吸口体を示し、（ａ）隙間吸口を示す斜視図、（ｂ）は小型吸口を示す斜視図、（ｃ）はほうき型吸口を示す斜視図である。
【００８４】
図１３（ａ）に示すように、隙間吸口５００は、家具の間や、家具と壁の隙間などに溜まったゴミを吸い取るものである。また、隙間吸口５００は、基端に電気掃除機１００に接続される円管状の本体接続口５０１を有し、先端に吸い込み対象物に向けられる幅狭の吸込口５０２を有している。
【００８５】
図１３（ｂ）に示すように、小型吸口（ミニパワーヘッド）６００は、前記した標準吸口４００を略小型にしたものであり、標準吸口４００で使用する場所と同じ場所を掃除するには精神的に抵抗のある場所（ソファ、寝具など）に適用できる。
【００８６】
また、小型吸口６００は、標準吸口４００よりも幅狭の吸口ケース６０１と、モータＭで回転する回転ブラシ６０２と、円筒状のかきとりブラシ６０３と、を備えている。また、小型吸口６００は、電気掃除機１００と電気的に接続される端子を有する接続口６０４を備えている。
【００８７】
図１３（ｃ）に示すように、ほうき型吸口７００は、サッシのレール、小物が収納された引き出しの中などを掃除するものであり、ゴミを掃くための刷毛体７０１と、ゴミを吸い込むためのゴム製のチューブ７０２と、を有している。チューブ７０２は、撓み変形可能で、小さな物品を吸い込まない径の吸込口を有している。また、ほうき型吸口７００は、複数のチューブ７０２を備えて、平面視において直線状に配置されるとともに、チューブ７０２の両側に刷毛体７０１を備えて構成されている。
【００８８】
また、ほうき型吸口７００は、電気掃除機１００に接続される接続口７０３と、刷毛体７０１およびチューブ７０２の向きを変更可能な関節部７０４，７０５と、を有している。
【００８９】
図１４は延長ホース８００の斜視図である。延長ホース８００は、手元操作部８０１、吸込部８０２、取付部８０３、ホース部８０４からなる。
【００９０】
図１５は、付属される付属品の一覧を示し、（ａ）は塵埃を吸込む吸込口を有する吸口体、（ｂ）は掃除機本体１と前記吸口体を接続する接続体である。全ての吸口体は、掃除機本体１に直接接続することができる。掃除機本体１に直接接続して掃除することで、掃除中に掃除機本体１を持っていない手で、小物を動かしたりしながら掃除することができる。
【００９１】
接続体である延長管３００とホース組８００を介して吸口体を接続することもできる。延長管３００を介した吸口体で掃除することで、床面を掃除する際に楽な姿勢での掃除や、手が届きにくいテレビや家具の裏、高所を掃除することが容易である。また、ホース組を介した吸口体掃除することで、掃除機本体１を動かす必要が無く、掃除する手元を軽くすることができるため、使用者の負担を軽減することができ、ソファや車のシートなどの傾斜面に沿わせることも容易である。さらに、ホース組８００に延長管３００を接続して掃除することもできる。このような構成で掃除することで、延長管３００のみでの掃除に比べ、手元を軽くすることができるため、使い勝手を向上できる。
【００９２】
なお、延長管３００やホース組８００だけを掃除機本体１に接続して掃除することも、延長管３００とホース組８００を接続した状態で掃除することも可能である。
【００９３】
このように付属品の組合せが多岐にわたるため、使用者は掃除場所によって使い易い付属品の組み合わせを選択することができる。
充電台７０には、隙間吸口５００、小型吸口６００、ほうき型吸口７００および延長ホース８００を取り付けることができる。すなわち、隙間吸口５００は、側部保管部７１ｄ（図９参照）に取り付けて保管でき、小型吸口６００は、延出部７１ｅに取り付けて保管でき、ほうき型吸口７００は、側部保管部７１ｃに取り付けて保管できるように構成されている。なお、隙間吸口５００、小型吸口６００、ほうき型吸口７００の位置は、本実施形態に限定されるものではなく、適宜変更することができる。
【００９４】
このように、充電台７０に各種の応用吸口体としての隙間吸口５００、小型吸口６００、ほうき型吸口７００、延長ホース８００を保管しておくことができる。これにより、隙間吸口５００、小型吸口６００、ほうき型吸口７００、延長ホース８００を部屋の別の場所に収納しておくことなく、迅速に付替えて使用することができ、使い勝手が向上する。
【００９５】
以上説明したように、本実施形態の電気掃除機の充電台７０は、床面に載置されるベース部７１と、ベース部７１から立ち上がるスタンド部７２とを備え、スタンド部７２は、電気掃除機１００をハンディ状態で充電する第１充電端子７３を有している。  
また、本実施形態では、ベース部７１は、スタンド部７２を挟んで当該ベース部７１とは反対側に設けられる延出部７１ｅを有し、延出部７１ｅは、電気掃除機１００に着脱して使用する応用吸口体（小型吸口６００）を保管する吸口保管部７１ｅ２を備える。これによれば、延出部７１ｅによって、充電台７０が後方へ倒れ込むのを抑えることができるとともに、応用吸口体を保管しておくこともできる。
【００９６】
また、本実施形態では、パイプ８１は円形である。これによれば、延長部材８０をスタンド部７２から取り外すことなく、延長部材８０の向きを変えることができ、電気掃除機１００をスティック状態での充電とハンディ状態での充電のそれぞれに対応させることができる。
【００９７】
充電台７０は、床面に載置されるベース部７１と、ベース部７１から立ち上がるスタンド部７２と、を備え、スタンド部７２にはパイプ８１を保持可能な保持部を備え、標準吸口４００を接続したパイプ８１を収納可能であり、電気掃除機１００をハンディ状態で充電する場合、その収納位置が正面視で標準吸口４００の左右幅×標準吸口４００+パイプ８１の高さで占める領域内に収まるように構成している。
【００９８】
また、充電台７０は、床面に載置されるベース部７１と、ベース部７１から立ち上がるスタンド部７２と、を備え、スタンド部７２にはパイプ８１を保持可能な保持部を備え、標準吸口４００を接続したパイプ８１を収納可能であり、電気掃除機１００をハンディ状態で充電する場合、その収納位置が側面視で標準吸口４００+パイプ８１の前後幅×標準吸口４００+パイプ８１の高さで占める領域内に収まるように構成している。
【００９９】
更に、ベース部７１には、電気掃除機１００に接続して使用可能な各種応用吸口体５００，６００，７００，８００を収容可能な収容部を有し、収容部は電気掃除機１００の下部に位置し、応用吸口体５００，６００，７００，８００を収納する位置も正面視で標準吸口４００の左右幅×標準吸口４００+パイプ８１の高さで占める領域内に収まるように構成している。
【０１００】
なお、ベース部７１には、電気掃除機１００に接続して使用可能な各種応用吸口体５００，６００，７００，８００を収容可能な収容部を有し、収容部は電気掃除機１００の下部に位置し、応用吸口体５００，６００，７００，８００を収納する位置も側面視で標準吸口４００+パイプ８１の前後幅×標準吸口４００+パイプ８１の高さで占める領域内に収まるように構成してもよい。
【０１０１】
なお、ベース部７１には、電気掃除機１００に接続して使用可能な各種応用吸口体５００，６００，７００，８００を収容可能な収容部を有し、収容部は正面視でパイプ８１を軸として電気掃除機１００の反対側に位置し、応用吸口体５００，６００，７００，８００を収納する位置も正面視で標準吸口４００の左右幅×標準吸口４００+パイプ８１の高さで占める領域内に収まるように構成してもよい。  
なお、ベース部７１には、電気掃除機１００に接続して使用可能な各種応用吸口体５００，６００，７００，８００を収容可能な収容部を有し、収容部は正面視でパイプ８１を軸として電気掃除機１００の反対側に位置し、応用吸口体５００，６００，７００，８００を収納する位置も側面視で標準吸口４００+パイプ８１の前後幅×標準吸口４００+パイプ８１の高さで占める領域内に収まるように構成してもよい。
【０１０２】
なお、スタンド部７２は、電気掃除機１００に接続して使用可能な各種応用吸口体５００，６００，７００，８００を電気掃除機１００本体に接続した状態でも収容可能な高さを有し、その状態で正面視で標準吸口４００の左右幅×標準吸口４００+パイプ８１の高さで占める領域内に収まるように構成してもよい
なお、スタンド部７２は、電気掃除機１００に接続して使用可能な各種応用吸口体５００，６００，７００，８００を電気掃除機１００本体に接続した状態でも収容可能な高さを有し、その状態で側面視で標準吸口４００+パイプ８１の前後幅×標準吸口４００+パイプ８１の高さで占める領域内に収まるように構成してもよい。
【０１０３】
上記構成により、充電時に省スペースな電気掃除機の充電台を提供できる。
【０１０４】
なお、本発明は、前記した実施形態に限定されるものではなく、様々な変形例が含まれるものである。例えば、第１充電端子７３と第２充電端子８３を中継端子８２を介して電源から１本の回路（配線）で構成するようにしたが、第１充電端子７３と第２充電端子８３の電源からの回路（配線）が別々で構成してもよい。また、応用吸口体を取り付ける数、位置は一例であって、さらに多くの応用吸口体を取り付けられるようにしてもよい。例えば、第２充電端子８３が設けられている延長部材８０を、第１充電端子７３が設けられている充電台７０と別部品で連結可能な構造とするのではなく、電台７０に対し伸縮可能とするや、回動可能とする、などの着脱可能でない構造としたり、一部品としても良い。
【符号の説明】
【０１０５】
１      掃除機本体
２      ダストケース
３      蓄電池
１０    本体部
４０    電動送風機
５０    本体基板（制御基板）
７０    充電台
７１    ベース部
７１ｅ  延出部
７１ｅ２  吸口保管部
７２    スタンド部
７２ｃ  連結保持部
７３    第１充電端子
８０    延長部材
８１    パイプ
８２    中継端子
８３    第２充電端子
１００  電気掃除機
３００  延長管
４００  標準吸口
５００，５００Ａ，５００Ｂ  隙間吸口（応用吸口体）
６００  小型吸口（応用吸口体）
７００  ほうき型吸口（応用吸口体）
８００  延長ホース（応用吸口体）
【図１】
2019030455.tif 000003
【図２】
2019030455.tif 000004
【図３】
2019030455.tif 000005
【図４】
2019030455.tif 000006
【図５】
2019030455.tif 000007
【図６】
2019030455.tif 000008
【図７】
2019030455.tif 000009
【図８】
2019030455.tif 000010
【図９】
2019030455.tif 000011
【図１０】
2019030455.tif 000012
【図１１】
2019030455.tif 000013
【図１２】
2019030455.tif 000014
【図１３】
2019030455.tif 000015
【図１４】
2019030455.tif 000016
【図１５】
2019030455.tif 000017
【図１６】
2019030455.tif 000018
【図１７】
2019030455.tif 000019
【図１８】
2019030455.tif 000020
【図１９】
2019030455.tif 000021